(57)【特許請求の範囲】
【請求項１】
電磁クラッチと、
前記電磁クラッチに取り付けた回転止めと、
前記電磁クラッチの回転を規制する回転規制部材と、
前記回転止めのスラスト方向の動きを前記電磁クラッチへの取り付け面側から規制する第１のスラスト規制部材と、
前記回転止めのスラスト方向の動きを前記電磁クラッチへの取り付け面と反対側から規制する第２のスラスト規制部材とを備え、
前記第１、第２のスラスト規制部材で前記回転止めを挟んで保持可能としたことを特徴とする駆動装置。
【請求項２】
前記回転止めが弾性部材からなることを特徴とする請求項１に記載の駆動装置。
【請求項３】
前記第１、第２のスラスト規制部材が弾性部材からなることを特徴とする請求項１または２に記載の駆動装置
【請求項４】
前記第１、第２のスラスト規制部材をネジで固定してあることを特徴とする請求項１から３のいずれか一項に記載の駆動装置。
【請求項５】
前記第１、第２のスラスト規制部材が電磁クラッチの外装材であることを特徴とする請求項１から３のいずれか一項に記載の駆動装置。
【請求項６】
前記第２のスラスト規制部材が、前記第１のスラスト規制部材よりも前記回転止めの外側で前記電磁クラッチの回転を規制することを特徴とする請求項１から５のいずれか一項に記載の駆動装置。
【請求項７】
前記第１、第２のスラスト規制部材が、ばね性を有する形状の部材であることを特徴とする請求項１から６のいずれか一項に記載の駆動装置。
【請求項８】
請求項１から７のいずれか一項に記載の駆動装置を用いるとともに、少なくとも画像形成部を備えたことを特徴とする画像形成装置。
【発明の詳細な説明】
【技術分野】
【０００１】
本発明は、電磁クラッチを備えた駆動装置と、これを用いた画像形成装置に関する。
【背景技術】
【０００２】
図８は、複写機、プリンタ、ファクシミリ、あるいはこれらの２つ以上の機能を有する複合機等の画像形成装置の一例の全体構造を概念的に示す断面図である。本例の画像形成装置は、主な構成として、原稿を読み取る読み取りユニット１１１、画像を形成する画像形成部１１２、自動原稿搬送装置（ＡＤＦ）１１３、ＡＤＦ１１３から送り出される原稿をスタックする原稿排紙トレイ１１４、給紙カセット１１５ないし１１８を備える給紙部１１９、記録用紙をスタックする排紙部（排紙トレイ１２０）を備えている。
【０００３】
この装置では、ＡＤＦ１１３の原稿台１２１上に原稿Ｄをセットして図示せぬ操作部での操作、例えばプリントキーの押下操作をすると、最上位の原稿Ｄがピックアップローラ１２２の回転により矢印Ｂ１方向へ送り出され、原稿搬送ベルト１２３の回転により、画像読み取りユニット１１１に固定されたコンタクトガラス１２４上へ給送され、そこで停止する。コンタクトガラス１２４上に載置された原稿Ｄの画像は、画像形成部１１２とコンタクトガラス１２４の間に位置する読み取り装置１２５によって読み取る。読み取り装置１２５は、コンタクトガラス１２４上の原稿Ｄを照明する光源１２６、原稿画像を結像する光学系１２７、原稿画像を結像させるＣＣＤ等からなる光電変換素子１２８等を有している。画像読み取り終了後、原稿Ｄを原稿搬送ベルト１２３の回転により矢印Ｂ２方向へ搬送して原稿排紙トレイ１１４上へ排出する。このように、原稿Ｄを１枚ずつコンタクトガラス１２４上へ給送して原稿画像を画像読み取りユニット１１１によって読み取る。
【０００４】
一方、画像形成部１１２の内部には、像担持体である感光体１３０が配置してある。感光体１３０は、図において時計方向に回転駆動し、帯電装置１３１によって表面を所定の電位に帯電させる。また、書込ユニット１３２からは、読み取り装置１２５によって読み取った画像情報に応じて光変調したレーザ光Ｌを照射し、帯電させた感光体１３０の表面をこのレーザ光Ｌで露光し、これによって感光体１３０の表面に静電潜像を形成する。この静電潜像は、現像装置１３３を通るとき、対向する転写装置１３４によって感光体１３０と転写装置１３４の間に給送された記録材Ｐに転写する。トナー像転写後の感光体１３０の表面は、クリーニング装置１３５によって清掃する。
【０００５】
画像形成部１１２の下部に配置した複数の給紙カセット１１５ないし１１８には、紙等の記録材Ｐを収容してあり、いずれかの給紙カセット１１５ないし１１８から記録材Ｐを矢印Ｂ３方向へ送り出し、その記録材Ｐの表面に、上述のように感光体１３０の表面に形成したトナー像を転写する。次に、記録材Ｐを矢印Ｂ４で示すように画像形成部１１２内の定着装置１４０を通し、熱と圧力の作用によって記録材Ｐの表面に転写されたトナー像を定着させる。１３６を通った記録材Ｐを排出ローラ対１３７によって搬送し、矢印Ｂ５で示すように排紙トレイ１２０へ排出し、スタックする。
【０００６】
このような画像形成装置では、種々の構成部品の駆動に電磁クラッチを備えた駆動装置を用いているが、そのような駆動装置では、電磁クラッチの回り止めと、取り付けられる側の回転規制部材との衝突音を低減する方法として、規制部材と回り止めの間に弾性部材を構成し、衝突音を低減する技術が知られている。
【０００７】
特許文献１には、電磁クラッチの動作時に発生する衝突騒音を低減する目的で、弾性部材を用いてスラスト方向の移動規制を行う方法が開示されている。
【０００８】
図１は、電磁クラッチの動作時にクラッチ回転止めと回転規制部材との衝突音が発生する構成について説明するための図である。図１の例では、入力ギヤ軸７に保持された入力ギヤ６によってギヤホルダ５に保持された電磁クラッチ１に動力が伝達され、電磁クラッチ１が動作しているとき、クラッチ出力軸４に動力が伝達される。伝達時に、電磁クラッチ１自体が回転しようとするが、回転規制部材３と電磁クラッチ１に構成されている回り止め２が接触することにより、電磁クラッチ１の回転が規制される。このとき、回転規制部材３と回り止め２との衝突音が発生する。
【０００９】
図２は、回転規制部材と回り止めの衝突音低減に係る従来の構成について説明するための図である。図２の例では、回転規制部材３と回り止め２の間に弾性部材８を構成し、回転規制部材３と回り止め２の衝突音を低減している。
【発明の概要】
【発明が解決しようとする課題】
【００１０】
しかし、弾性部材を用いた技術では、装置構成が複雑になり、コストが増加するという問題がある。
【００１１】
そこで本発明は、特別な構成を用いずに、電磁クラッチの回り止めと回転規制部材の衝突音を低減することを目的とする。
【課題を解決するための手段】
【００１２】
本発明に係る駆動装置は、電磁クラッチと、前記電磁クラッチに取り付けた回転止めと、前記電磁クラッチの回転を規制する回転規制部材と、前記回転止めのスラスト方向の動きを前記電磁クラッチへの取り付け面側から規制する第１のスラスト規制部材と、前記回転止めのスラスト方向の動きを前記電磁クラッチへの取り付け面と反対側から規制する第２のスラスト規制部材とを備え、前記第１、第２のスラスト規制部材で前記回転止めを挟んで保持可能としたことを特徴とする。
【発明の効果】
【００１３】
本発明によれば、特別な構成を用いずに、電磁クラッチの回り止めと回転規制部材の衝突音を低減することができる。
【図面の簡単な説明】
【００１４】
【図１】電磁クラッチ動作時にクラッチ回転止めと回転規制部材との衝突音が発生する構成を示す図
【図２】回転規制部材と回り止めの衝突音を低減させる従来の構成を示す図
【図３】本発明の実施形態１の構成を示す図
【図４】本発明の実施形態２の構成を示す図
【図５】本発明の実施形態３の構成を示す図
【図６】本発明の実施形態４の構成を示す図
【図７】本発明の実施形態５の構成を示す図
【図８】画像形成装置の一例の構成を示す図
【発明を実施するための形態】
【００１５】
本発明の実施形態に係る駆動装置では、電磁クラッチ動作時に、動力伝達部以外に、電磁クラッチの本体が回転しようとする。電磁クラッチに構成された回り止めをスラスト方向で挟み込み、回り止めの回転を規制する。これにより、電磁クラッチの回り止めと回転規制部材との衝突を削減する。このことから、電磁クラッチの回り止めが回転規制部材に衝突する際の衝突音を低減するので、特別な構成を用いずに、電磁クラッチの回り止めと回転規制部材の衝突音が低減する。
【００１６】
すなわち本発明の実施形態では、電磁クラッチ動作時に、動力伝達部以外に、電磁クラッチの本体が回転しようとするので、電磁クラッチに設けた回り止めを前記第１、第２のスラスト規制部材によりスラスト方向で挟み込み、回り止めの回転を規制する。これにより、電磁クラッチの回り止めと回転規制部材との衝突を削減する。
【００１７】
以下、本発明の実施形態を図面を参照して説明する。
【００１８】
＜実施形態１＞
図３は、本発明の一実施形態に係る回転規制部材と回り止めの衝突音低減の構成について説明するための図である。図３では、電磁クラッチ１の回り止め２は第１の回転止めスラスト規制部材９と第２の回転止めスラスト規制部材１０によって挟み込み、位置を規制する。第１の回転止めスラスト規制部材９は回転規制部材３に取り付けて構成してある。また第２の回転止めスラスト規制部材１０はギヤホルダ５に取り付けて構成してある。
【００１９】
入力ギヤ軸７に保持させた入力ギヤ６によってギヤホルダ５に保持させた電磁クラッチ１に動力が伝達され、電磁クラッチ１が動作しているとき、クラッチ出力軸４に動力が伝達される。
【００２０】
動力伝達時には、電磁クラッチ１自体が回転しようとするが、回り止め２が第１の回転止めスラスト規制部材９と第２の回転止めスラスト規制部材１０によって挟み込まれているために回転せず、回転規制部材３に衝突しない。このことで、追加の部品を用いずに、電磁クラッチ１の動作時に発生する回転規制部材３と回り止め２の衝突音を低減する。
【００２１】
＜実施形態２＞
図４に示すように、第１の回転止めスラスト規制部材９と第２の回転止めスラスト規制部材１０をネジ１１で固定してもよい。これにより、確実に回り止め２をスラスト方向で規制することができる。
【００２２】
＜実施形態３＞
また図５に示すように、第２の回転止めスラスト規制部材１０を外装材として構成してもよい。これにより、設計レイアウトの自由度を増加させることができる。
【００２３】
＜実施形態４＞
また図６に示すように、第２の回転止めスラスト規制部材１０が第１の回転止めスラスト規制部材９よりも回転止め２の外側（径方向：図の左右方向）で規制する構成となっている。これにより、スラスト規制部材９、１０の精度を緩和することができる。
【００２４】
＜実施形態５＞
さらに図７に示すように、第１の回転止めスラスト規制部材９と第２の回転止めスラスト規制部材１０をばね性を持たせた形状である構成として、回転止めを規制する部材の精度を緩和することができる。図示の例では、規制部材９、１０の回転止め２と接する先端部を、回転止め２と接する側が先細りとなる断面形状として弾性を発揮する形状としてある。
【００２５】
本発明は以上説明した実施形態に限定されるものではなく、多くの変形が本発明の技術的思想内で当分野において通常の知識を有する者により可能である。
【符号の説明】
【００２６】
１：電磁クラッチ
３：回転規制部材
４：クラッチ出力軸
５：ギヤホルダ
６：入力ギヤ
７：入力ギヤ軸
９、１０：スラスト規制部材
１１：ネジ
【先行技術文献】
【特許文献】
【００２７】
【特許文献１】特開２００１−３３６５４７号公報
【図１】
0005870599.tif 000002
【図２】
0005870599.tif 000003
【図３】
0005870599.tif 000004
【図４】
0005870599.tif 000005
【図５】
0005870599.tif 000006
【図６】
0005870599.tif 000007
【図７】
0005870599.tif 000008
【図８】
0005870599.tif 000009